(57)【要約】【課題】アスベスト等の微細な削りかすを確実に除去するとともに、既存の集塵機８にも簡単に接続できるようにする。【解決手段】  ケース本体Ａに一方の側に吸引口２４を設け、他方の側に排出口６を設け、この吸引口側には一次フィルター収納部２２を設け、この一次フィルター収納部と排出口側との間には二次フィルター収納部１１を設け、一次フィルター収納部には上記吸引口と連通する不織布からなる袋状の一次フィルター２３を収納する。一方、二次フィルター収納部には、両側を開口させた収納ケース１３を組み込み、この収納ケースにはヘパフィルター１２を充填し、かつ、上記排出口側に隣接する収納ケースの開口周囲を囲うシール部材１６を設け、収納ケースを二次フィルター収納部に組み込んだとき、上記シール部材が排出口に連通する通路の周囲をシールする構造にした。【選択図】  図２
2008254101.tif 000002
【特許請求の範囲】
【請求項１】
ケース本体の一方の側に吸引口を設け、他方の側に排出口を設け、この吸引口側には一次フィルター収納部を設け、この一次フィルター収納部と排出口側との間には二次フィルター収納部を設け、一次フィルター収納部には上記吸引口と連通する不織布からなる袋状の一次フィルターを収納する一方、二次フィルター収納部には、両側を開口させた収納ケースを組み込み、この収納ケースにはＨＥＰＡ（High Efficiency Particulate Air）フィルター(以下「ヘパフィルター」という)を充填し、かつ、上記排出口側に隣接する収納ケースの開口周囲を囲うシール部材を設け、収納ケースを二次フィルター収納部に組み込んだとき、上記シール部材が排出口に連通する通路の周囲をシールする構造にした集塵機用フィルター装置。
【請求項２】
ケース本体の開口部分に押えプレートを固定するとともに、この押えプレートには、上記収納ケースを押し付ける凸部を形成し、上記押えプレートを固定したとき、収納ケースのシール部材がケース本体の平坦面に押し付けられる構成にした請求項１記載の集塵機用フィルター装置。
【請求項３】
ケース本体は、筒状の胴部材と、胴部材の他方の開口を開閉するフタ部材とからなり、上記胴部材あるいはフタ部材のいずれか一方に、胴部材の他方の開口をシールするシール部材を設け、胴部材の他方の開口をフタ部材で閉じたときにその開口がシールされる構成にする一方、上記押えプレートの凸部を、弾性を保持したシールで構成した請求項２記載の集塵機用フィルター装置。
【請求項４】
ケース本体は、筒状の胴部材と、この胴部材の一方の開口をふさぐカバーと、胴部材の他方の開口を開閉するフタ部材とからなり、上記胴部材あるいはフタ部材のいずれか一方に、胴部材の他方の開口をシールするシール部材を設け、胴部材の他方の開口をフタ部材で閉じたときにその開口がシールされる構成にする一方、上記押えプレートの凸部と、収納ケースとの間にシールを介在させた請求項２記載の集塵機用フィルター装置。
【発明の詳細な説明】
【技術分野】
【０００１】
この発明は、主に、建築物の壁面に穴を開けるときに発生する削りかすを除去する集塵機用フィルター装置に関する。
【背景技術】
【０００２】
建築物の壁面に穴を開けるときに発生する削りかすを吸引する器具として、特許文献１に記載されたものが従来から知られている。この従来から知られている吸引器具は、集塵機に接続したホースの先端に、ドリル挿入穴を形成したキャップを設けるとともに、このキャップを穴あけ箇所にかぶせて、上記ドリル挿入穴からドリルを挿入して穴あけ作業をする。そして、上記キャップは、穴あけ作業時に発生する削りかすの飛散防止機能を発揮するとともに、このキャップ内にたまった削りかすは、上記ホースを介して集塵機に直接吸い込まれる。
【特許文献１】特開２００６−１９２５２５号公報
【発明の開示】
【発明が解決しようとする課題】
【０００３】
上記のように従来の器具では、穴あけ作業時に発生する削りかすを、集塵機に直接吸い込ませるようにしているので、例えば、削りかすの中にアスベストが混在していると、アスベストを飛散させずに廃棄処理するのが難しくなるという問題があった。
また、集塵機そのものにアスベスト等の微細な削りかすを飛散させずに処理できるようにするためには、その集塵機自体をかなり大がかりなものにせざるを得ない。集塵機自体を大がかりにすれば、コストアップを招くとともに、運搬性等に問題が発生する。
この発明の目的は、アスベスト等を確実に除去できるとともに、既存の集塵機に簡単に接続できる集塵機用フィルター装置を提供することである。
【課題を解決するための手段】
【０００４】
第１の発明は、ケース本体の一方の側に吸引口を設け、他方の側に排出口を設け、この吸引口側には一次フィルター収納部を設け、この一次フィルター収納部と排出口側との間には二次フィルター収納部を設け、一次フィルター収納部には上記吸引口と連通する不織布からなる袋状の一次フィルターを収納する一方、二次フィルター収納部には、両側を開口させた収納ケースを組み込み、この収納ケースにはＨＥＰＡ（High Efficiency Particulate Air）フィルター(以下「ヘパフィルター」という)を充填し、かつ、上記排出口側に隣接する収納ケースの開口周囲を囲うシール部材を設け、収納ケースを二次フィルター収納部に組み込んだとき、上記シール部材が排出口に連通する通路の周囲をシールする構造にした点に特徴を有する。
【０００５】
第２の発明は、ケース本体の開口部分に押えプレートを固定するとともに、この押えプレートには、上記収納ケースを押し付ける凸部を形成し、上記押えプレートを固定したとき、収納ケースのシール部材がケース本体の平坦面に押し付けられる構成にした点に特徴を有する。
【０００６】
第３の発明は、ケース本体は、筒状の胴部材と、胴部材の他方の開口を開閉するフタ部材とからなり、上記胴部材あるいはフタ部材のいずれか一方に、胴部材の他方の開口をシールするシール部材を設け、胴部材の他方の開口をフタ部材で閉じたときにその開口がシールされる構成にする一方、上記押えプレートの凸部を、弾性を保持したシールで構成した点に特徴を有する。
【０００７】
第４の発明は、ケース本体は、筒状の胴部材と、この胴部材の一方の開口をふさぐカバーと、胴部材の他方の開口を開閉するフタ部材とからなり、上記胴部材あるいはフタ部材のいずれか一方に、胴部材の他方の開口をシールするシール部材を設け、胴部材の他方の開口をフタ部材で閉じたときにその開口がシールされる構成にする一方、上記押えプレートの凸部と、収納ケースとの間にシールを介在させた点に特徴を有する。
【発明の効果】
【０００８】
第１の発明によれば、一次フィルターと二次フィルターとを設け、しかも、二次フィルターはヘパフィルターからなるとともに、このヘパフィルターを収納ケースに収納するようにしたので、その収納ケースをヘパフィルターとともに廃棄すれば、ヘパフィルターに付着したアスベスト等の削りかすを飛散させずに廃棄処理することができる。
また、上記のようにアスベスト等の微細な削りかすを飛散させない手当てを施した当該装置を集塵機に接続するだけで足りるので、集塵機自体は、それほど大がかりなものにしなくてもよくなる。
さらに、二次フィルターを収納する収納ケースには、排出口側に隣接する収納ケースの開口周囲を囲うシール部材を設けたので、ケース本体から収納ケースを取り出したとき、アスベスト等の削りかすが、ケース本体内に残ってしまうという問題もなくなる。
【０００９】
第２の発明によれば、収納ケースに設けたシール部材がケース本体の平坦面に押し付けられるので、そのシール機能が飛躍的に向上する。したがって、収納ケースを回収するときに、例えばアスベスト等の微細な削りかすが、ケース本体内に残ってしまうという問題が発生しない。
【００１０】
特に、第３，４の発明によれば、３つのシール部材、すなわち収納ケース及びカバー間に介在させたシール部材と、フタ部材及び胴部材間に介在させたシール部材と、押えプレート及び収納ケース間に介在させたシール部材との３つのシール部材によって、収納ケースが完全に密閉されるので、例えばアスベスト等の微細な削りかすがケース本体内に残ったりしないし、ケース本体から収納ケースを取り出すときに、上記削りかすが周囲に飛散したりしない。
【発明を実施するための最良の形態】
【００１１】
図示の実施形態におけるケース本体Ａは、胴部材１とフタ部材２とからなる。胴部材１は、断面を四角形にした筒部３を備えるとともに、この筒部３の一方の側面にカバー４を固定して、その一方の側面をふさいでいる。このカバー４には、図２からも明らかなように、吸引凸出部５を形成しているが、この吸引凸出部５は上方に向かって徐々にその凸出量を大きくしている。また、この吸引凸出部５は、カバー４の全面積よりも小さくし、カバー４の内側周面に平坦面４ａが形成されるようにしている。
このようにした吸引凸出部５の上端には、この発明の排出口を構成する排出パイプ６を設け、この排出パイプ６を、ホース７を介して集塵機８に接続している。
【００１２】
上記のようにした胴部材１の四隅には、ガイド部９，１０を設けるとともに、このガイド部９，１０の内側を二次フィルター収納部１１としている。この二次フィルター収納部１１には、ヘパフィルター１２を充填した収納ケース１３を出し入れ自在に組み込むようにしている。そして、この収納ケース１３は、その前後両側に開口１４，１５を形成するとともに、カバー４に隣接する側の開口１４の周囲にはシール部材１６を設けている。
【００１３】
また、上記胴部材１の開口部分には、収納ケース１３の開口１５と同じ大きさの開口１７ａを形成した押えプレート１７をボルト１８で取り外し可能に固定している。この押えプレート１７には、凸部１９を形成しているが、この凸部１９は、上記のようにボルト１８で固定したとき、二次フィルター収納部１１に収納した収納ケース１３を、押えプレート１７とは反対側に押す力を発揮する構成にしている。そして、凸部１９で押された収納ケース１３は、そのシール部材１６を前記平坦面４ａに押し付けることになる。このようにシール部材１６が平坦面４ａに押し付けられるので、そのシール機能がいっそう向上し、アスベスト等の微細な削りかすがケース本体Ａ特に胴部材１内に残ったりしない。
【００１４】
また、ケース本体Ａを構成するフタ部材２は、ヒンジ２０で胴部材１に回動自在に取り付けるとともに、このフタ部材２の周囲にシール部材２１を設けている。さらに、このフタ部材２には、凹部を形成してこの凹部を一次フィルター収納部２２としている。そして、この一次フィルター収納部２２には袋状の不織布からなる一次フィルター２３を収納するとともに、この一次フィルター２３は、この発明の吸引口である吸引パイプ２４を介してホース２５に連通している。このホース２５の先端には、図１に示すように、ドリル挿入穴２６を形成したキャップ２７を設けている。
【００１５】
今、図２に示すように、一次フィルター収納部２２一次フィルター２３を収納するとともに、二次フィルター収納部１１にもヘパフィルター１２を充填した収納ケース１３を組み込み、押えプレート１７で収納ケース１３を押えた状態で、集塵機８で吸引すると、ホース２５から吸引された削りかすが、最初に一次フィルター２３に導入され、そこを通過する過程で、粒子の大きな削りかすがある程度除去される。そして、一次フィルター２３を通過した微細な削りかすは、ヘパフィルター１２で取り除かれて、エアーのみが集塵機８に吸引されることになる。
【００１６】
このとき、前記したように収納ケース１３と胴部材１との間は、シール部材１６でしっかりシールされているので、たとえ、微細なアスベストがヘパフィルター１２を通過したとしても、それがケース本体Ａ内に残ったりしない。したがって、収納ケース１３を取り替えるときなどに、ケース本体Ａ内に残っているアスベスト等が周囲に飛散することはない。
【００１７】
また、このフィルター装置は、集塵機８を接続するだけで足りるので、極端な場合には、集塵機として家庭用の掃除機を用いることもできる。言い換えると、大がかりな装置を用いずに、簡単な装置で集塵機能を発揮させることができる。
【００１８】
上記の実施形態における押えプレート１７に形成した凸部１９は、収納ケース１３を押し付けるだけの機能しか持たせていないが、この凸部１９を、上記開口１７ａの周囲に設けるとともに、当該凸部１９と収納ケース１３との間に図示していない第３のシール部材を介在させるようにしてもよい。
また、当該凸部１９をシール部材で構成し、この凸部１９に第３のシール部材としての機能を発揮させるようにしてもよい。
【００１９】
いずれにしても、上記のように第３のシール部材を設ければ、ケース本体Ａに導かれたアスベスト等の削りかすは胴部材１内に残ることはない。したがって、上記収納ケース１３を胴部材１から出し入れしたとしても、アスベスト等の削りかすが飛散したりしない。いいかえれば、アスベスト等の削りかすは、ヘパフィルター１２を通過する過程で、完全に除去される。
【図面の簡単な説明】
【００２０】
【図１】斜視図である。
【図２】断面図である。
【符号の説明】
【００２１】
Ａ      ケース本体
６      排出口である排出パイプ
１１      二次フィルター収納部
１２      ヘパフィルター
１３      収納ケース
１６      シール部材
１７      押えプレート
１９      凸部
２２      一次フィルター収納部
２３      一次フィルター
２４      吸引口である吸引パイプ
【図１】
2008254101.tif 000003
【図２】
2008254101.tif 000004